(57)【特許請求の範囲】
【請求項１】
筒状本体の長手方向の一部に入口を設け、本体内に入口から小動物が筒状本体内に侵入したことを検知するセンサと、センサからの信号で開閉する開閉蓋と、該開閉蓋の開閉を制御するソレノイドと電源としての電池とモノマルチバイブレータ機能を有するＣＭＯＳＩＣとソレノイド駆動トランジスタから構成される制御ユニットとを前記本体の適宜部位に着脱可能に組み込んだことを特徴とする小動物捕獲器。
【請求項２】
前記制御ユニットは給餌モードと捕獲モードを切り替える給餌・捕獲モード切替スイッチを有し、前記給餌・捕獲モード切替スイッチが給餌モードの時には該センサが信号を発生したとしても捕獲のための開閉蓋は閉じることなく給餌信号を出力し、給餌・捕獲モード切替スイッチが捕獲モードに設定されたときにはセンサ出力があったときに開閉蓋が閉じると共に、捕獲信号を出力することを特徴とする請求項１に記載の小動物捕獲器。
【発明の詳細な説明】
【技術分野】
【０００１】
本発明は、器物や人間に害を及ぼすネズミ等の小動物捕獲器で、確実に捕獲できると同時にその小動物の行動を分析することができる捕獲器に関するものである。
【背景技術】
【０００２】
従来例としては、警戒心の強いネズミ等の警戒心を和らげる工夫をしたもの、例えば両端に出入口を有し、内部が捕獲対象動物の通り道となる筒体に、両端の出入口をそれぞれ閉じる落下式扉と、各扉を開位置に保持する電磁ロック手段を設け、さらに、筒体内に侵入した動物を検知するセンサを設け、そのセンサからの検知信号に基づいて電磁ロック手段による各扉の開位置ロックが同時に解かれるようにした動物捕獲器（特許文献１参照）が存在している。
【特許文献１】特開２００３−１６９５８７公報（特許請求の範囲、発明の詳細な説明の欄、及び図１〜図３を参照）
【発明の開示】
【発明が解決しようとする課題】
【０００３】
前記従来技術では、筒体の上壁に電磁ロック手段、メインスイッチ、センサ用スイッチ、センサの感度ボリューム、スイッチのＯＮ状態を表示するパイロットランプ、動物が捕獲されたことを表示する点滅ランプ等がセットされ、側壁にセンサが設けられているものである。
ところが、この従来技術のように、筒体に上記のような各種部品が取り付けられているので、警戒心の強いネズミの警戒心を和らげることは極めて困難であり、本発明はこれを解決した小動物捕獲器を提供することを目的とするものである。
【課題を解決するための手段】
【０００４】
上記課題を解決するための本発明の第１発明は、請求項１に記載された通りの小動物捕獲器であり、次のようなものである。
筒状本体の長手方向の一部に入口を設け、本体内に入口から小動物が筒状本体内に侵入したことを検知するセンサと、センサからの信号で開閉する開閉蓋と、該開閉蓋の開閉を制御するソレノイドと電源としての電池とモノマルチバイブレータ機能を有するＣＭＯＳＩＣとソレノイド駆動トランジスタから構成される制御ユニットとを前記本体の適宜部位に着脱可能に組み込む構成である。
【０００５】
上記課題を解決するための本発明の第２発明は、請求項２に記載された通りの小動物捕獲器であり、次のようなものである。
請求項１に記載の発明に加えて、前記制御ユニットは給餌モードと捕獲モードを切り替える給餌・捕獲モード切替スイッチを有し、前記給餌・捕獲モード切替スイッチが給餌モードの時には該センサが信号を発生したとしても捕獲のための開閉蓋は閉じることなく給餌信号を出力し、給餌・捕獲モード切替スイッチが捕獲モードに設定されたときにはセンサ出力があったときに開閉蓋が閉じると共に、捕獲信号を出力する構成である。
【発明の効果】
【０００６】
本発明に係る小動物捕獲器は、上記説明のような構成であるので、以下に記載する効果を奏する。
（１）本体内に入口から小動物が筒状本体内に侵入したことを検知するセンサと、センサからの信号で開閉する開閉蓋と、該開閉蓋の開閉を制御するソレノイドと、電源としての電池とモノマルチバイブレータ機能を有するＣＭＯＳＩＣと、ソレノイド駆動トランジスタから構成される制御ユニットとを前記本体の適宜部位に着脱可能にすることができたので、制御装置をネズミにいたずらされたり壊されたることなく、設置性も良い。
（２）制御装置がコンパクトに一体化され、着脱可能になっているので、メンテナンス性が良い。
（３）開閉蓋の作動としては、本体内に侵入したネズミが略中央、入口から少なくとも１０ｃｍは離れた位置に設けたセンサの反応で閉鎖されるようにしたことで確実に捕獲することができる。
（４）制御回路のプログラムによりセンサ信号を管理することで、ネズミの生態調査管理ができる。
（５）センサも本体底板に着脱自在に設けたので、センサの機能を確認したり、各種のセンサと置換して、その設置環境に合致したセンサを選択することができる。
（６）上蓋を開閉、着脱自在に構成したので、餌を置く場合や、汚れた場合の清掃が簡単に行うことができる。
（７）制御ユニットの電源電池はソレノイド駆動の時に大電流が流れるが、開閉蓋閉鎖時に駆動されるだけであり、電池消耗にはほとんど影響はしないものである。
電池寿命はネズミ待機時にＲａ、Ｒｓに流れる電流でほとんどが消費されるので、Ｒａ、Ｒｓの抵抗値を高抵抗にしておくことにより、乾電池で長期間使用することができる。
【発明を実施するための最良の形態】
【０００７】
筒状本体の長手方向の一部に入口を設け、本体内に入口から小動物が筒状本体内に侵入したことを検知するセンサと、センサからの信号で開閉する開閉蓋と、該開閉蓋の開閉を制御するソレノイドと電源としての電池とモノマルチバイブレータ機能を有するＣＭＯＳＩＣとソレノイド駆動トランジスタから構成される制御ユニットとを前記本体の適宜部位に着脱可能に組み込んだ小動物捕獲器である。
【実施例】
【０００８】
以下、本発明の一実施例を添付図面で詳細に説明する。
図１は、本発明の具体的な実施例である小動物捕獲器の正面図、平面図、背面図、右側面図、左側面図を（ａ）〜（ｅ）で示した図面、図２は、本発明の小動物捕獲器における上蓋を開放した状態を示す右側面図、図３は、本発明の小動物捕獲器の制御回路図、図４は、分析・管理データ処理に関する一実施例のフロー図である。
【０００９】
本発明は、ネズミ等の小動物捕獲器で、捕獲効率を良くした捕獲器である。図１、図２に示すように、本発明の捕獲器は筒状の直方体の本体１からなり、この本体１は、各種材料、例えば金属板、合成樹脂板を採用して、直方体に組み付けてなるものである。本体１の長手方向の一側板（背面板）２（図面上では図１（ｃ）で示す）と短手方向の入口３と反対側の左側板４（図面上では、図１（ｅ）で示す）には、適宜の開口５を複数個穿設されている（例えば、パンチメタル等で置き換えることができる）、上蓋６は図１（ｂ）、図２で示すように適宜の開口５を複数個穿設し、しかも蝶番等を介して開閉自在に設けるか、着脱可能に設ける。短手方向の入口３（図１（ａ）、（ｂ）、（ｄ）に示す）を開閉制御する開閉蓋７が設けられ、センサからの信号で開閉するものである。該開閉蓋７の開閉を制御するための電源、制御ユニットをコンパクトに一体化した制御装置８にし、この一体化された制御装置８を本体１の適宜部位に公知の手段から選択して着脱自在に組み付けるものである。
本体１の長手方向の一側板２に対して反対側の正面板９は、上蓋６の係止を行えるように係止具１０を備え、特には開口は有しないものである。実質的には、本体１全体を開口部のあるものにすることもできるし、全て開口部を設けないものとすることもできることはいうまでもない。なお、開口５は捕獲した小動物を視認することができるので、一部に開口５がある方がより良い。
上蓋６は、上部に上蓋６の自重で回動できるように背面板２と正面板９に渡し掛けるように支軸で回動開閉できるように設けられている。開閉蓋７が開状態を維持するには、電磁ロック手段１１等でソレノイドの作動で開蓋状態を維持する。すなわち、図１（ａ）で点線で示すように上蓋６と略平行になるように水平状態で維持されている。この際、ネズミが侵入してきたことをセンサ１２で検知するとセンサ信号でソレノイドを駆動して、電磁ロック手段１１を閉蓋状態（図１（ａ）に示す２点鎖線状態）に瞬時に開閉蓋７を揺動して入口３を閉止してネズミを捕獲するものである。
センサ１２は、本体１の底板１３の略中央部で入口３からは少なくとも１０ｃｍは離れた位置に設けられるもので、特に感圧センサが有効である。
しかし、センサ１２は、感圧センサだけでなくネズミによって光が遮られる遮光式センサ、ネズミの体温や動きによる振動等を感知するセンサ等、周知のセンサの中から適当なものを選択できる。
餌は皿等を用意して皿内に入れたり、直接本体１の底板１３の適当な場所、入口３とは反対側のセンサ１２より奥側に置く。この餌の出し入れは、上蓋６の開閉や着脱で簡単に行うことができる。
【００１０】
次に、図３に基づいて制御回路の一実施例について説明する。
本体１における底板１３の略中央部に設置した感圧センサは、高抵抗体で圧力が加わると、低抵抗に変化するもので、感圧センサが圧力を検出すると感圧センサの抵抗値Ｒｓは下がる。
Ｖｉｎ＝Ｒｓ／（Ｒｓ+Ｒａ）×Ｖｄｄの値が１／２Ｖｄｄ以下に下がるとモノマルチバイブレータ（汎用ＣＭＯＳＩＣ）が起動する。トリガー信号Ｖｉｎが入力されるとＣＸＲで決定されるパルス幅の信号を生成し、この生成された短い感圧信号の発生でもソレノイドを駆動するために必要な長さのパルスを出力するものであり、この信号をネズミ侵入信号として利用する。
Ｔｒはソレノイドを駆動するためのトランジスタであり、Ｒ１はトランジスタのベース電流制御抵抗である。
捕獲切替スイッチは、給餌モードと捕獲モードの切替スイッチで、給餌・捕獲モード切替スイッチが給餌モードの時には該センサが信号を発生したとしても捕獲のための開閉蓋は閉じることなく給餌信号を出力し、給餌・捕獲モード切替スイッチが捕獲モードに設定されたときにはセンサ出力があったときに開閉蓋が閉じ、捕獲信号を出力するというように、この切替スイッチをＯＦＦにするとセンサ１２が反応してもソレノイドは動作しないため、捕獲用開閉蓋７は開いたままの状態である。すなわち、前記給餌信号、捕獲信号は、本体に接続された無線機器に接続され、その情報はインターネットを利用し、遠隔地のサーバーに伝達され、捕獲器の群管理、小動物の給餌状態、捕獲状態が管理される（図４参照）。この状態を切替スイッチで維持することができるので、ネズミがどのように捕獲器に入っているかの情報を得ることができるため、ネズミの行動を分析することが可能になる。
捕獲スイッチは捕獲開閉蓋７が閉じている状態を検出し、ＯＦＦになる。すなわち、捕獲切替スイッチをＯＮにした状態でセンサ１２がネズミを検出すると開閉蓋７が閉じ、捕獲信号として開閉蓋７が閉じているという信号を出力する。捕獲信号は捕獲切替スイッチ、捕獲スイッチともＯＮしているときＲ２はプルアップ抵抗として機能する。また、捕獲スイッチがＯＦＦの時はＲ３がプルダウン抵抗として働く、Ｒ３は待機状態の時に電流を消費するので十分大きな抵抗とする。電池はソレノイド駆動の時に大電流が流れるが、開閉蓋７閉鎖時に駆動されるだけであり、電池消耗にはほとんど影響はしないものである。
電池寿命はネズミ待機時にＲａ、Ｒｓに流れる電流でほとんどが消費されるので、Ｒａ、Ｒｓの抵抗値を高抵抗にしておくことにより、乾電池で長期間使用することができる。
この制御回路を採用することにより、捕獲用開閉蓋７が閉じていて、侵入信号が発生している状態は、確実にネズミが捕獲されていることが確認できるものである。
【産業上の利用可能性】
【００１１】
ネズミだけでなく、各種小動物の捕獲に応用することが可能である。
【図面の簡単な説明】
【００１２】
【図１】本発明の小動物捕獲器を示す（ａ）は正面図、（ｂ）は平面図、（ｃ）は背面図、（ｄ）は右側面図、（ｅ）は左側面図である。
【図２】本発明の小動物捕獲器における上蓋を開放した状態を示す右側面図である。
【図３】本発明の小動物捕獲器に採用する制御回路図である。
【図４】本発明の小動物捕獲器におけるネズミの給餌状態、捕獲状態を分析・管理したデータの出力フロー図である。
【符号の説明】
【００１３】
１・・・・本体                            ２・・・・側板（背面板）
３・・・・入口                            ４・・・・反対側左側板
５・・・・開口                            ６・・・・上蓋
７・・・・開閉蓋                          ８・・・・制御装置
９・・・・正面板                        １０・・・・係止具
１１・・・・電磁ロック手段                １２・・・・センサ
１３・・・・底板
【図１】
0005043598.tif 000002
【図２】
0005043598.tif 000003
【図３】
0005043598.tif 000004
【図４】
0005043598.tif 000005